【手続補正書】
【提出日】令和2年10月26日(2020.10.26)
【手続補正１】
【補正対象書類名】特許請求の範囲
【補正対象項目名】全文
【補正方法】変更
【補正の内容】
【特許請求の範囲】
【請求項１】
基地局における通信の方法であって、
複数のサブフレーム上の複数のリソースブロックを備えるダウンリンクキャリア中で、第１のタイプの１つまたは複数の通信デバイスとの通信に関連するセル固有基準信号（ＣＲＳ）のために、リソース要素の第１のセットを割り振ることと、
第２のタイプの１つまたは複数の通信デバイスとの通信のための狭帯域物理チャネルに、前記複数のリソースブロックのうちのリソースブロックのリソースを割り振ること、前記割り振られたリソースが、リソース要素の前記第１のセットと、前記第２のタイプの前記１つまたは複数の通信デバイスとの通信に関連する狭帯域ＣＲＳ（ＮＢ−ＣＲＳ）に割り振られたリソース要素の第２のセットとの周りでレートマッチングされ、レートマッチングすると決定することが、前記狭帯域物理チャネルの帯域内展開モードに基づく、と、
前記第２のタイプの前記１つまたは複数の通信デバイスに、前記狭帯域物理チャネルの前記割り振られたリソースのサブセットにマッピングされた情報を送信することと
を備え、前記送信することが、狭帯域物理ダウンリンク制御チャネル（ＮＢ−ＰＤＣＣＨ）と狭帯域物理ダウンリンク共有チャネル（ＮＢ−ＰＤＳＣＨ）との両方に共通である空間周波数ブロックコーディング（ＳＦＢＣ）に部分的に基づく送信ダイバーシティに部分的に基づく、方法。
【請求項２】
前記リソースブロックの前記リソースを前記割り振ることが、前記第２のタイプの第１のデバイスとの通信のために、前記リソースブロックの周波数リソースの第１のセットを割り振ることと、前記第２のタイプの第２のデバイスとの通信のために、前記リソースブロックの周波数リソースの第２のセットを割り振ることとを備える、請求項１に記載の方法。
【請求項３】
前記割り振られたリソースの前記サブセットが、アグリゲーションレベルに関連する前記割り振られたリソースの複数のサブセットのうちの第１のサブセットを備える、請求項１に記載の方法。
【請求項４】
前記割り振られたリソースの前記サブセットが、アグリゲーションレベルに関連する前記割り振られたリソースの第１のサブセットと第２のサブセットとにわたる、請求項１に記載の方法。
【請求項５】
前記割り振られたリソースが複数のリソース要素グループを備える、請求項１に記載の方法。
【請求項６】
前記複数のリソース要素グループが、リソース要素の前記第１のセットとリソース要素の前記第２のセットとの周りでレートマッチングされる、請求項５に記載の方法。
【請求項７】
ユーザ機器（ＵＥ）における通信の方法であって、
狭帯域物理チャネルの展開モードを決定すること、ここにおいて、前記展開モードが、帯域内展開モードを備える、と、
前記狭帯域物理チャネルに割り振られたリソースのサブセットにマッピングされた情報を受信すること、ここにおいて、前記受信することが、狭帯域物理ダウンリンク制御チャネル（ＮＢ−ＰＤＣＣＨ）と狭帯域物理ダウンリンク共有チャネル（ＮＢ−ＰＤＳＣＨ）との両方に共通である空間周波数ブロックコーディング（ＳＦＢＣ）に基づく送信ダイバーシティに基づく、と、
前記展開モードに少なくとも部分的に基づいて、前記狭帯域物理チャネルに割り振られたリソースの前記サブセットに関連するレートマッチング構成を決定すること、ここにおいて、前記狭帯域物理チャネルに割り振られたリソースの前記サブセットが、セル固有基準信号（ＣＲＳ）に割り振られたリソース要素の第１のセットと、狭帯域ＣＲＳ（ＮＢ−ＣＲＳ）に割り振られたリソース要素の第２のセットとの周りでレートマッチングされる、と、
前記レートマッチング構成に少なくとも部分的に基づいて、前記受信された情報を復号することと
を備える、方法。
【請求項８】
リソースの前記サブセットが、アグリゲーションレベルに関連する前記狭帯域物理チャネルに割り振られた前記リソースの複数のサブセットのうちの第１のサブセットを備える、請求項７に記載の方法。
【請求項９】
リソースの前記サブセットが、アグリゲーションレベルに関連する前記狭帯域物理チャネルに割り振られた前記リソースの第１のサブセットと第２のサブセットとにわたる、請求項７に記載の方法。
【請求項１０】
前記割り振られたリソースが複数のリソース要素グループを備える、請求項７に記載の方法。
【請求項１１】
前記複数のリソース要素グループが、狭帯域セル固有基準信号（ＮＢ−ＣＲＳ）に割り振られたリソース要素のセットの周りでレートマッチングされる、請求項１０に記載の方法。
【請求項１２】
ワイヤレス通信のための装置であって、
複数のサブフレーム上の複数のリソースブロックを備えるダウンリンクキャリア中で、第１のタイプの１つまたは複数の通信デバイスとの通信に関連するセル固有基準信号（ＣＲＳ）のために、リソース要素の第１のセットを割り振るための手段と、
第２のタイプの１つまたは複数の通信デバイスとの通信のための狭帯域物理チャネルに、前記複数のリソースブロックのうちのリソースブロックのリソースを割り振るための手段、前記割り振られたリソースが、リソース要素の前記第１のセットと、前記第２のタイプの前記１つまたは複数の通信デバイスとの通信に関連する狭帯域ＣＲＳ（ＮＢ−ＣＲＳ）に割り振られたリソース要素の第２のセットとの周りでレートマッチングされ、レートマッチングすると決定することが、前記狭帯域物理チャネルの帯域内展開モードに基づく、と、
前記第２のタイプの前記１つまたは複数の通信デバイスに、前記狭帯域物理チャネルの前記割り振られたリソースのサブセットにマッピングされた情報を送信するための手段と
を備え、前記送信することが、狭帯域物理ダウンリンク制御チャネル（ＮＢ−ＰＤＣＣＨ）と狭帯域物理ダウンリンク共有チャネル（ＮＢ−ＰＤＳＣＨ）共通である空間周波数ブロックコーディング（ＳＦＢＣ）に部分的に基づく送信ダイバーシティに部分的にさらに基づく、装置。
【請求項１３】
ワイヤレス通信のための装置であって、
狭帯域物理チャネルの展開モードを決定するための手段、ここにおいて、前記展開モードが、帯域内展開モードを備える、と、
前記狭帯域物理チャネルに割り振られたリソースのサブセットにマッピングされた情報を受信するための手段、ここにおいて、前記受信するための手段が、狭帯域物理ダウンリンク制御チャネル（ＮＢ−ＰＤＣＣＨ）と狭帯域物理ダウンリンク共有チャネル（ＮＢ−ＰＤＳＣＨ）との両方に共通である空間周波数ブロックコーディング（ＳＦＢＣ）に基づく送信ダイバーシティにさらに基づく、と、
前記展開モードに少なくとも部分的に基づいて、前記狭帯域物理チャネルに割り振られたリソースの前記サブセットに関連するレートマッチング構成を決定するための手段、ここにおいて、前記狭帯域物理チャネルに割り振られたリソースの前記サブセットが、セル固有基準信号（ＣＲＳ）に割り振られたリソース要素の第１のセットと、狭帯域ＣＲＳ（ＮＢ−ＣＲＳ）に割り振られたリソース要素の第２のセットとの周りでレートマッチングされる、と、
前記レートマッチング構成に少なくとも部分的に基づいて、前記受信された情報を復号するための手段と
を行わせる、命令を備える、装置。
【請求項１４】
ワイヤレス通信のためのコードを記憶する非一時的コンピュータ可読媒体であって、前記コードは、プロセッサによって実行されると、前記プロセッサに、
複数のサブフレーム上の複数のリソースブロックを備えるダウンリンクキャリア中で、第１のタイプの１つまたは複数の通信デバイスとの通信に関連するセル固有基準信号（ＣＲＳ）のために、リソース要素の第１のセットを割り振ることと、
第２のタイプの１つまたは複数の通信デバイスとの通信のための狭帯域物理チャネルに、前記複数のリソースブロックのうちのリソースブロックのリソースを割り振ること、前記割り振られたリソースが、リソース要素の前記第１のセットと、前記第２のタイプの前記１つまたは複数の通信デバイスとの通信に関連する狭帯域ＣＲＳ（ＮＢ−ＣＲＳ）に割り振られたリソース要素の第２のセットとの周りでレートマッチングされ、レートマッチングすると決定することが、前記狭帯域物理チャネルの帯域内展開モードに基づく、と、
前記第２のタイプの前記１つまたは複数の通信デバイスに、前記狭帯域物理チャネルの前記割り振られたリソースのサブセットにマッピングされた情報を送信することと
を行わせる命令を備え、前記送信命令は、狭帯域物理ダウンリンク制御チャネル（ＮＢ−ＰＤＣＣＨ）と狭帯域物理ダウンリンク共有チャネル（ＮＢ−ＰＤＳＣＨ）との両方に共通にである空間周波数ブロックコーディング（ＳＦＢＣ）に部分的に基づく送信ダイバーシティに部分的に基づく、非一時的コンピュータ可読媒体。
【請求項１５】
ワイヤレス通信のためのコードを記憶する非一時的コンピュータ可読媒体であって、前記コードは、プロセッサによって実行されると、前記プロセッサに、
狭帯域物理チャネルの展開モードを決定すること、ここにおいて、前記展開モードが、帯域内展開モードを備える、と、
前記狭帯域物理チャネルに割り振られたリソースのサブセットにマッピングされた情報を受信すること、ここにおいて、前記受信命令が、狭帯域物理ダウンリンク制御チャネル（ＮＢ−ＰＤＣＣＨ）と狭帯域物理ダウンリンク共有チャネル（ＮＢ−ＰＤＳＣＨ）との両方に共通である空間周波数ブロックコーディング（ＳＦＢＣ）に基づく送信ダイバーシティにさらに基づく、と、
前記展開モードに少なくとも部分的に基づいて、前記狭帯域物理チャネルに割り振られたリソースの前記サブセットに関連するレートマッチング構成を決定すること、ここにおいて、前記狭帯域物理チャネルに割り振られたリソースの前記サブセットが、セル固有基準信号（ＣＲＳ）に割り振られたリソース要素の第１のセットと、狭帯域ＣＲＳ（ＮＢ−ＣＲＳ）に割り振られたリソース要素の第２のセットとの周りでレートマッチングされる、と、
前記レートマッチング構成に少なくとも部分的に基づいて、前記受信された情報を復号することと
を行わせる命令を備える、非一時的コンピュータ可読媒体。